(57)【要約】【課題】  簡単に製作でき、また、環境問題やハウスダストの問題を生じることなく、耐火性能や防火性能に優れる断熱パネルを提供すること。【解決手段】  断熱パネル１２は２枚の外板１４と断熱材１６とを含んで構成されている。２枚の外板１４は互いに平行に配置され、薄型で鋼製またはアルミ製またはアルミ合金製であり、断熱パネル１２の外装の両面を構成している。断熱材１６はそれら２枚の外板１４の間に挟まれて配設されている。断熱材１６は、防燃処理が施された再生パルプ繊維が、２枚の外板１４の間に吹き込まれて構成されている。【選択図】図１
2007291716.tif 000002
【特許請求の範囲】
【請求項１】
互いに平行に配置された薄型で鋼製またはアルミ製またはアルミ合金製の外板と、それら外板の間に挟まれた断熱材とを備え、
前記断熱材は、防燃処理が施された再生パルプ繊維が、前記２枚の外板の間に吹き込まれて構成されている、
ことを特徴とする断熱パネル。
【請求項２】
互いに平行に配置された薄型で鋼製またはアルミ製またはアルミ合金製の外板と、それら外板の間に挟まれた板状の断熱材とを備え、
前記断熱材は、防燃処理が施された再生パルプ繊維が板状に成形されている、
ことを特徴とする断熱パネル。
【請求項３】
互いに平行に配置された薄型で鋼製またはアルミ製またはアルミ合金製の外板と、それら外板の間に挟まれた板状の断熱材とを備え、
前記断熱材は、木毛繊維がセメントと水を用いて板状に固められて構成されている、
ことを特徴とする断熱パネル。
【発明の詳細な説明】
【技術分野】
【０００１】
本発明は建物の外壁、内壁、屋根、床、冷凍庫の隔壁等に好適な耐火性能や防火性能などを備えた断熱パネルに関する。
【背景技術】
【０００２】
従来の断熱パネルは、ウレタンフォーム断熱材や、ポリスチレン押出発砲断熱材、グラスウール断熱材、ロックウール断熱材などを含んで構成されている（例えば、特許文献１、特許文献２）。
【特許文献１】特開２００４−３５３６８７
【特許文献２】特開２００２−２５６６３１
【発明の開示】
【発明が解決しようとする課題】
【０００３】
しかしながら、ウレタンフォーム断熱材を含んで構成された断熱パネルは、パネル施工時にフロンガスを使用するために環境問題が生じ、燃えやすく有害ガスを発生する。
また、ポリスチレン押出発泡断熱材を含んで構成された断熱パネルは、火災時に黒鉛が発生し危険である。
また、グラスウール断熱材を含んで構成された断熱パネルは、吸水性が大で、吸音性が小さく、鋼板で挟んだ場合に防火性能が弱点となる。
また、ロックウール断熱材を含んで構成された断熱パネルは、ハウスダストの問題に不安点がある。
本発明は前記事情に鑑み案出されたものであって、本発明の目的は、環境問題やハウスダストの問題を生じることなく耐火性能や防火性能などに優れる断熱パネルを提供することにある。
【課題を解決するための手段】
【０００４】
前記目的を達成するため本発明の断熱パネルは、互いに平行に配置された薄型で鋼製またはアルミ製またはアルミ合金製の外板と、それら外板の間に挟まれた断熱材とを備え、前記断熱材は、防燃処理が施された再生パルプ繊維が、前記２枚の外板の間に吹き込まれて構成されていることを特徴とする。
また、本発明の断熱パネルは、互いに平行に配置された薄型で鋼製またはアルミ製またはアルミ合金製の外板と、それら外板の間に挟まれた板状の断熱材とを備え、前記断熱材は、防燃処理が施された再生パルプ繊維が板状に成形されていることを特徴とする。
また、本発明の断熱パネルは、互いに平行に配置された薄型で鋼製またはアルミ製またはアルミ合金製の外板と、それら外板の間に挟まれた板状の断熱材とを備え、前記断熱材は、木毛繊維がセメントと水を用いて板状に固められて構成されていることを特徴とする。
【発明の効果】
【０００５】
本発明によれば、簡単に製作でき、また、環境問題やハウスダストの問題を生じることなく、耐火性能や防火性能に優れる断熱パネルが得られる。
【発明を実施するための最良の形態】
【０００６】
以下、本発明の実施の形態を図面にしたがって説明する。
（第１の実施の形態）
図１は第１の実施の形態の断熱パネルの斜視図を示す。
断熱パネル１２は２枚の外板１４と断熱材１６とを含んで構成されている。
２枚の外板１４は互いに平行に配置され、薄型で鋼製またはアルミ製またはアルミ合金製であり、断熱パネル１２の外装の両面を構成している。このような外板１４として、例えば、厚さが０．５ｍｍ程度のガルバニュウム鋼板や、厚さが１．０ｍｍ程度のアルミ板などが使用可能であり、断熱パネル１２の総厚は、５０〜３００ｍｍ程度である。
なお、図１では省略されているが、２枚の外板１４の外縁間を連結する端面板が設けられ、それら２枚の外板１４と端面板とにより断熱パネル１２の形状が保持されている。すなわち、断熱パネル１２が長方形の板状を呈している場合には、２枚の外板１４の４辺間を連結する４つの端面板が設けられる。それら端面板は、一方の外板１４に一体に形成されていてもよく、あるいは、外板１４とは別の板部材であってもよく、このような端面板の構成には従来公知の様々な構造が採用可能である。
断熱材１６はそれら２枚の外板１４の間に挟まれて配設されている。
断熱材１６は、防燃処理が施された再生パルプ繊維が、２枚の外板１４の間に吹き込まれて構成されている。
再生パルプ繊維（セルロース繊維）は、新聞残紙などの古紙を主原料とした、すなわち、植物性繊維を主原料としたバラ綿状の繊維である。例えば、古紙を細かく繊維状に加工することで得られる。
また、防燃処理を施すとは、例えば、再生パルプ繊維とホウ素系等の薬品（例えば、ホウ酸）とを混合し、攪拌して燃えにくくすることである。
再生パルプ繊維は、天然木質繊維を原料として造られており、繊維の絡み合いによる連続気泡のほかに、繊維の中にも多くの動かない空気泡を抱えているので、２重の空気層が相乗効果を発揮し、熱伝導率が小さくて断熱効果に優れる特性を有している。
【０００７】
断熱パネル１２は、吹込、湿式吹込、吹付施工が可能で簡単に製作でき、また、環境問題やハウスダストの問題を生じることなく、防火性、断熱性能、吸防湿性、撥水性、吸音性、防カビ・防虫性に優れる。
特に、古紙を主原料とした再生パルプ繊維を用いるので、地球資源を有効利用することで地球環境上も好ましく、無公害でＶＯＣなどの心配もない。
したがって、断熱パネル１２は、耐火性能（内・外壁耐火構造）、防火性能（不燃、準不燃性能）などを有することから、物流倉庫、生産工場、商業施設、住宅、事務所ビル等の断熱性能が要求される内・外壁および冷凍庫や冷蔵庫の隔壁、屋根材、床材などの防・耐火性能を有する部位に好適である。
なお、断熱材１６は、防燃処理が施された再生パルプ繊維を吹き付けて固め板状に成形することも可能であり、この場合には断熱材１６を板状の部材として取り扱うことが可能となり、２枚の外板１４に対して断熱材１６を組み込むことになる。
【０００８】
（第２の実施の形態）
図２は第２の実施の形態の断熱パネルの斜視図を示す。
断熱パネル２２は２枚の外板２４と断熱材２６とを含んで構成されている。
２枚の外板２４は互いに平行に配置され、薄型で鋼製またはアルミ製またはアルミ合金製であり、断熱パネル２２の外装の両面を構成している。このような外板２４として、例えば、厚さが０．５ｍｍ程度のガルバニュウム鋼板や、厚さが１．０ｍｍ程度のアルミ板などが使用可能であり、断熱パネル２２の総厚は、５０〜３００ｍｍ程度である。
なお、図２では省略されているが、２枚の外板２４の外縁間を連結する端面板が設けられている。すなわち、断熱パネル１２が長方形の板状を呈している場合には、２枚の外板２４の４辺間を連結する４つの端面板が設けられる。それら端面板は、一方の外板２４に一体に形成されていてもよく、あるいは、外板２４とは別の板部材であってもよく、このような端面板の構成には従来公知の様々な構造が採用可能である。
断熱材２６はそれら２枚の外板２４の間に挟まれて配設されている。
断熱材２６は、木毛繊維がセメントと水を用いて板状に固められて構成されている。
【０００９】
断熱パネル２２は、ボード状の木毛セメント板をサンドイッチ工法で簡単に製作でき、また、環境問題やハウスダストの問題を生じることなく、防火性、断熱性能、吸防湿性、吸音性脱臭性に優れる。
特に、木毛繊維を用いるので、間伐材を使用して森林資源の有効利用を行え、無公害でＶＯＣなどの心配もない。
したがって、断熱パネル２２は、耐火性能（内・外壁耐火構造）、防火性能（不燃、準不燃性能）などを有することから、物流倉庫、生産工場、商業施設、住宅、事務所ビル等の断熱性能が要求される内・外壁および冷凍庫や冷蔵庫の隔壁、屋根材、床材などの防・耐火性能を有する部位に好適である。
【００１０】
図３に断熱パネル１２，２２を用いた外壁構造を示し、図４に断熱パネル１２，２２を用いた間仕切り壁構造を示す。
図３に示すように、断熱パネル１２，２２は薄型の板状に形成されており、多数枚が、支持構造材３２を介して上下左右に並べられ、これにより耐火性能、防火性能を有する外壁３４が構成されている。
図４に示すように、断熱パネル１２，２２は薄型の板状に形成されており、下階の床スラブＳ１に設けられた下ランナー４２と、上階の床スラブＳ２に設けられた上ランナー４４とにその上下の辺が固定され、これにより耐火性能、防火性能を有する間仕切壁４６が構成されている。
【００１１】
本発明の断熱パネル１２，２２を平面上で並べる場合には、例えば、断熱パネル１２，２２の一辺を構成する端面に凹部５２を形成し、また、この一辺に対向する他の一辺に凸部５４を形成しておき、図５に示すように、隣り合う断熱パネル１２，２２の相互において凹部５２に凸部５４を嵌め込み、ボルトＢ、ナットＮを用いて結合すればよい。この場合、凹部５２を、外板２４を延長した部分で形成し、また、凸部５４を、外板２４を延長した部分で耐火ボードなどの不燃材５６を挟んで形成するようにしてもよい。
【図面の簡単な説明】
【００１２】
【図１】第１の実施の形態の断熱パネルの斜視図である。
【図２】第２の実施の形態の断熱パネルの斜視図である。
【図３】断熱パネルを用いた外壁の説明図である。
【図４】断熱パネルを用いた間仕切壁の説明図である。
【図５】断熱パネルを平面的に並べる場合の説明図である。
【符号の説明】
【００１３】
１２、２２……断熱パネル、１４、２４……外板、１６、２６……断熱材。
【図１】
2007291716.tif 000003
【図２】
2007291716.tif 000004
【図３】
2007291716.tif 000005
【図４】
2007291716.tif 000006
【図５】
2007291716.tif 000007